(57)【特許請求の範囲】
【請求項１】
ダウンリンク伝送およびアップリンク伝送を通してセルのユーザ端末（UE）と通信を行い、該ダウンリンク伝送およびアップリンク伝送は無線フレームに組み立てられ、各無線フレームは複数のサブフレームを含み、各サブフレームは複数のシンボルを含み、
前記セルにて、前記複数のサブフレームのうちの１つのサブフレームのダウンリンク制御領域の第１のシンボルで、ユーザ端末に対応するセルのビームによるUE固有信号、及び前記複数のサブフレームのうちの前記サブフレームの前記ダウンリンク制御領域の第２のシンボルで共通信号を送信し、前記サブフレームは前記ダウンリンク制御領域及び少なくとも一つのデータ領域を含み、ネットワークノードは共通信号を第１のシンボルによる送信を許可されず、
前記共通信号は、前記セルの全てのビームで送信される、ことを特徴とするネットワークノードのセルの制御方法。
【請求項２】
前記ネットワークノードは、前記UE固有信号を前記第２のシンボルによって送信することを特徴とする請求項１に記載の制御方法。
【請求項３】
前記UE固有信号は、リソース割当てを表すシグナリング、ハイブリッド自動再送要求（HARQ）フィードバックを表すシグナリング、および／または復号に用いられる基準信号であることを特徴とする請求項１に記載の制御方法。
【請求項４】
前記共通信号は、システムフレーム番号（SFN）を表すシグナリング、同報メッセージのリソース割当てを表すシグナリング、同期信号、またはDL無線状態測定に用いられる基準信号であることを特徴とする請求項１に記載の制御方法。
【請求項５】
前記共通信号は、前記セルのすべてのビームをカバーするように、複数のタイミングで送信される、請求項１に記載の制御方法。
【請求項６】
前記共通信号は、特定のタイミングで所定のビームで送信され、UE固有信号は、所定のビームの制限なく、前記ネットワークノードにより使用されるビームで送信される、請求項１に記載の制御方法。
【請求項７】
ダウンリンク伝送およびアップリンク伝送を通してセルのネットワークノードと通信を行い、該ダウンリンク伝送およびアップリンク伝送は無線フレームに組み立てられ、各無線フレームは複数のサブフレームを含み、各サブフレームは複数のシンボルを含み、
前記セルにて、サブフレームのダウンリンク制御領域の第１のシンボルのUE固有信号をモニタし、該第１のシンボルの共通信号はモニタせず、
ユーザ端末は、前記セルにて、前記ダウンリンク制御領域の第２のシンボルで前記共通信号をモニタし、前記共通信号は、同報メッセージのリソース割当てを示す、ユーザ端末（UE）の方法。
【請求項８】
前記ユーザ端末は、前記第２のシンボルの前記UE固有信号をモニタすることを特徴とする請求項７に記載の方法。
【請求項９】
前記サブフレームは、アップリンク（UL）用のデータ領域、ダウンリンク（DL）用のデータ領域、および／またはUL制御領域を含むことを特徴とする請求項７に記載の方法。
【請求項１０】
前記UE固有信号は、リソース割当てを表すシグナリング、ハイブリッド自動再送要求（HARQ）フィードバックを表すシグナリング、および／または復号に用いられる基準信号であることを特徴とする請求項７に記載の方法。
【請求項１１】
前記同報メッセージは、システム情報、ページング、及び／又はランダムアクセス応答である、請求項７に記載の方法。
【請求項１２】
前記第１のシンボルによって生成される前記セルのビームは、前記第２のシンボルによって生成されるビームと異なることを特徴とする請求項７に記載の方法。
【請求項１３】
前記共通信号及び前記UE固有信号は、データ領域の異なるシンボルのリソースと連携している、請求項７に記載の方法。
【請求項１４】
異なるシンボルにおける異なる共通信号は、異なる周波数リソースで送信される、請求項７に記載の方法。
【請求項１５】
制御回路と、
該制御回路に含まれた処理装置と、
前記制御回路に含まれ、前記処理装置に動作可能に接続された記憶装置とを備え、
前記処理装置は、前記記憶装置に保存されたプログラムコードを実行して、
ダウンリンク伝送およびアップリンク伝送を通してセルのユーザ端末（UE）と通信を行い、該ダウンリンク伝送およびアップリンク伝送は無線フレームに組み立てられ、各無線フレームは複数のサブフレームを含み、各サブフレームは複数のシンボルを含み、
前記セルにて、前記複数のサブフレームのうちの１つのサブフレームのダウンリンク制御領域の第１のシンボルで、ユーザ端末に対応するセルのビームにおけるUE固有信号、及び前記複数のサブフレームのうちの前記サブフレームの前記ダウンリンク制御領域の第２のシンボルで共通信号を送信し、前記サブフレームは前記ダウンリンク制御領域及び少なくとも一つのデータ領域を含み、ネットワークノードは、第１のシンボルでの共通信号の送信を許可されず、
前記共通信号は、前記セルの全てのビームで送信される、セルを制御するネットワークノード。
【請求項１６】
前記ネットワークノードは、前記第２のシンボルの前記UE固有信号を送信することを特徴とする請求項１５に記載のネットワークノード。
【請求項１７】
前記UE固有信号は、リソース割当てを表すシグナリング、ハイブリッド自動再送要求（HARQ）フィードバックを表すシグナリング、および／または復号に用いられる基準信号であることを特徴とする請求項１５に記載のネットワークノード。
【請求項１８】
前記共通信号は、システムフレーム番号（SFN）を表すシグナリング、同報メッセージのリソース割当てを表すシグナリング、同期信号、またはDL無線状態測定に用いられる基準信号であることを特徴とする請求項１５に記載のネットワークノード。
【請求項１９】
前記共通信号は、前記セルのすべてのビームをカバーするように、複数のタイミングで送信される、請求項１５に記載のネットワークノード。
【請求項２０】
前記共通信号は、特定のタイミングで所定のビームで送信され、UE固有信号は、所定のビームの制限なく、前記ネットワークノードにより使用されるビームで送信される、請求項１５に記載のネットワークノード。
【発明の詳細な説明】
【技術分野】
【０００１】
本発明は、一般に無線通信ネットワークに関するものであり、具体的には、無線通信システムにおける制御シグナリングの配信方法および装置に関する。
【背景技術】
【０００２】
移動体通信機器間で大量のデータの送受信を行う必要性が急速に高まり、従来の移動体音声通信ネットワークはインタネットプロトコル（IP）データパケットを用いて通信を行うネットワークへと発展している。このようなIPデータパケット通信では、移動体通信機器の使用者に、ボイスオーバIP（VoIP）、マルチメディア、マルチキャストおよびオンデマンドによる通信サービスの提供が可能である。
【０００３】
具体的なネットワーク構造の例として、進化型地上無線アクセスネットワーク（E-UTRAN）が挙げられる。E-UTRANシステムは、高速のデータスループットによって上記のVoIPサービスおよびマルチメディアサービスを実現できる。次世代の新たな無線技術（例えば5G通信）が、3GPP標準化団体により目下検討されている。それに応じて、現行の3GPP標準仕様の主要部の変更が現在提起され、3GPP標準を展開し、最終的にまとめ上げることが検討されている。
【先行技術文献】
【特許文献】
【０００４】
【特許文献１】仮米国特許出願第62/107814号公報
【非特許文献】
【０００５】
【非特許文献１】「ドコモ5Gホワイトペーパ」、NTTドコモ
【非特許文献２】METIS Deliverable D2.4「Proposed solutions for new radio access」
【非特許文献３】TS  36.300、バージョン12.5.0「E-UTRA and E-UTRAN Overall Description」
【非特許文献４】3GPP  TS  36.211、バージョン12.5.0「E-UTRA Physical Channels and Modulation」
【非特許文献５】TS  36.331、バージョン12.5.0「E-UTRA RRC Protocol Specification」
【非特許文献６】TS  36.321、バージョン12.5.0「E-UTRA MAC Protocol Specification」
【非特許文献７】TS  36.213、バージョン12.5.0「E-UTRA Physical Layer Procedures」
【発明の概要】
【発明が解決しようとする課題】
【０００６】
本願は、無線通信システムにおける制御シグナリングの配信方法および装置を開示する。
【課題を解決するための手段】
【０００７】
一実施形態において、本方法は、ダウンリンク伝送およびアップリンク伝送によってセルのユーザ端末（UE）と通信することを含み、ダウンリンク伝送およびアップリンク伝送は無線フレームに組み立てられ、各無線フレームは複数のサブフレームを含み、各サブフレームは複数のシンボルを含む。また、本方法は、セルにおいて、UE固有の信号を複数のサブフレームのうちの１つのサブフレームのダウンリンク制御領域の第１のシンボルに変換して送信することを含み、ネットワークノードは共通信号を第１のシンボルで送信することを許されていない。
【０００８】
本出願は、2015年6月12日に出願された仮米国特許出願第62/174,716号および2015年6月23日に出願された仮米国特許出願第62／183,460号に基づく優先権の利益を主張するものであり、その内容全体を本明細書に参照によって組み込む。
【図面の簡単な説明】
【０００９】
【図１】一実施例による無線通信システムの概略図である。
【図２】一実施例による送信機システム（アクセス網として公知）および受信機システム（ユーザ端末すなわちUEとして公知）のブロック図である。
【図３】一実施例による通信システムの機能ブロック図である。
【図４】一実施例による図３のプログラムコードの機能ブロック図である。
【図５】3GPP  TS  36.300の図５．１−１の写しである。
【図６】3GPP  TS  36.300の図５．１−２の写しである。
【図７】3GPP  TS  36.211の図６．２．２−１の写しである。
【図８】3GPP  TS  36.211の表６．２．３−１の写しである。
【図９】3GPP  TS  36.211の表６．９．３−１の写しである。
【図１０】3GPP  TS  36.211の表６．１０．３．２−１の写しである。
【図１１】3GPP  TS  36.211の表６．１０．３．２−２の写しである。
【図１２】3GPP  TS  36.300の図１０．１．５．１−１の写しである。
【図１３】3GPP  TS  36.300の図１０．１．５．２−１の写しである。
【図１４】METIS  Deliverable  D2.4の図３−２の写しである。
【図１５】一実施例によるサブフレームの概略図である。
【図１６】一実施例によるフローチャートである。
【図１７】一実施例によるフローチャートである。
【図１８】一実施例によるフローチャートである。
【図１９】一実施例によるメッセージの流れを示す図である。
【図２０】一実施例によるメッセージの流れを示す図である。
【図２１】一実施例によるメッセージの流れを示す図である。
【発明を実施するための形態】
【００１０】
例示の無線通信システムおよび後述の機器では、放送サービスに対応する無線通信方式を採り入れている。無線通信システムを広範囲に配置することにより、音声、データなど、様々な種類の通信を提供する。これらのシステムは、符号分割多元接続（CDMA）、時分割多重接続（TDMA）、直交周波数分割多重接続（OFDMA）、3GPP  LTE（ロングタームエボリューション）無線接続、3GPP  LTE-AまたはLTE-Advanced（ロングタームエボリューション・アドバンスト）、3GPP2  UMB（ウルトラモバイルブロードバンド）、WiMaxまたは他の変調技術に基づくものでよい。
【００１１】
具体的には、例示の無線通信システムおよび後述の機器は、例えば非特許文献１や非特許文献２などの様々な文献で論じられている無線技術をサポートするものとして設計してもよい。また、例示の無線通信システムおよび後述の機器は、例えば、「3rd  Generation  Partnership  Project」（以下、3GPPと称す）という共同事業体によって標準化が提案されている１または複数の標準仕様をサポートするものとして設計してもよく、3GPPの標準仕様として例えば非特許文献３〜７が挙げられる。上記の標準仕様および文献はすべて、参照として本明細書に組み込まれる。
【００１２】
図１は、本発明の一実施例による多重接続無線通信システムを示す。アクセス網（AN）100は複数のアンテナ群を含み、あるアンテナ群はアンテナ104および106を、別のアンテナ群はアンテナ108および110を含み、さらに他のアンテナ群はアンテナ112および114を含む。図１では、各アンテナ群のアンテナは２本しか図示されていないが、各アンテナ群が有するアンテナは２本より多くても少なくてもよい。接続端末（AT）116はアンテナ112および114と通信を行い、アンテナ112および114は下りリンク120を通して接続端末116に情報を送信し、上りリンク118を通して接続端末116から情報を受信する。接続端末（AT）122はアンテナ106および108と通信を行い、アンテナ106および108は下りリンク126を通して接続端末122に情報を送信し、上りリンク124を通して接続端末122から情報を受信する。FDDシステムでは、通信リンク118、120、124および126は、それぞれ異なる周波数を使用して通信を行ってもよい。例えば、下りリンク120は、上りリンク118と異なる周波数を使用することもできる。
【００１３】
アンテナの各群、および／またはアンテナが通信を行うように構成された領域は、たいていの場合、アクセス網のセクタと称される。実施例では、アンテナ群はそれぞれ、アクセス網100がカバーする領域のセクタ内の接続端末と通信を行う。
【００１４】
下りリンク120および126を通して通信を行う場合、アクセス網100の送信アンテナは、ビームフォーミングを利用して、下りリンクの信号対雑音比を個々の接続端末116および122ごとに高めてもよい。また、ビームフォーミングを利用するアクセス網では、アクセス網の範囲にわたってランダムに分散させた接続端末へ送信することにより、単一のアンテナを介してすべての接続端末に送信を行うアクセス網と比べ、近接するセル間での接続端末における干渉が少なくなる。
【００１５】
アクセス網（AN）は、端末との通信を行う際に利用する固定局または基地局でよく、また、アクセスポイント、NodeB、基地局、高度特定基地局、e-NodeB（eNB）または他の用語で呼称してもよい。また、接続端末（AT）は、ユーザ端末（UE）、無線通信機器、端末、接続端末または他の用語で呼称してもよい。
【００１６】
図２は、送信機システム210（アクセス網として公知）およびMIMOシステムの受信機システム250（接続端末（AT）もしくはユーザ端末（UE）として公知）の実施例の簡略ブロック図を示す。送信機システム210では、多数のデータストリームのトラヒックデータをデータ源212から送信（TX）データ処理部214に与える。
【００１７】
一実施例では、各データストリームはそれぞれの送信アンテナによって送信される。TXデータ処理部214は、それぞれのデータストリームに合わせて選択された特定のコード体系に基づいて、データストリームごとにトラヒックデータをフォーマットし、符号化して、インタリーブする。
【００１８】
各データストリームの符号化データは、OFDM手法によってパイロットデータを用いて多重化する。パイロットデータは、通常、公知の手法で処理された既知のデータパターンであり、受信機システムにおいて使用してチャネル応答値を推定する。次に、データストリームごとに多重化されたパイロットデータおよび符号化データは、データストリーム用に選択された特定の変調方式（例えば、BPSK、QPSK、M-PSKまたはM-QAM）に基づいて変調して（すなわち、シンボルマッピングして）、変調シンボルを得る。各データストリームのデータ転送速度、符号化方式および変調方式は、処理装置230が実行する命令によって選んでもよい。
【００１９】
すべてのデータストリームの変調シンボルをTX  MIMO処理装置220に与えて、TX MIMO処理装置220で変調シンボル（例えば、OFDM用）をさらに処理してもよい。TX MIMO処理装置220は、次に、NT個の変調シンボルストリームをNT個の送信機（TMTR）222a〜222tに与える。特定の実施例では、TX MIMO処理装置220はデータストリームのシンボル、およびシンボルを送信中のアンテナにビームフォーミング重みを加える。
【００２０】
各送信機222a〜222tは、それぞれ対応するシンボルストリームを受信し、処理を施して１つ以上のアナログ信号を得て、さらにアナログ信号を調整して（例えば、増幅、フィルタリングおよび高い周波数に変換して）、MIMOチャネルを介した通信に適する変調信号を得る。送信機222a〜222tで得られたNT個の変調信号はそれぞれNT本のアンテナ224a〜224tから送信される。
【００２１】
受信機システム250では、送信されてきた変調信号をNR本のアンテナ252a〜252rによって受信し、各アンテナ252a〜252rから受け取った信号をそれぞれ対応する受信機（RCVR）254a〜254rに与える。各受信機254a〜254rは対応する受信信号を調整し（例えば、フィルタリング、増幅および周波数を逓降して）、調整した信号をデジタル化してサンプルを得て、さらにサンプルに処理を施して対応する「受信」シンボルストリームを得る。
【００２２】
次に、RXデータ処理部260がNR個の受信機254からNR個の受信シンボルストリームを受け取り、特定の受信機処理手法に基づいてシンボルストリームを処理して、NT個の「検出」シンボルストリームを得る。その後、RXデータ処理部260は、各検出シンボルストリームを復調、デインタリーブおよび復号して、データストリームのトラヒックデータを復元する。RXデータ処理部260による処理は、TX MIMO処理装置220および送信機システム210のTXデータ処理部214が行う処理を補完するものである。
【００２３】
処理装置270は、どのプリコードマトリクスを使用するかの判断を定期的に行う（この点については後で述べる）。処理装置270は、マトリクスの指標部分およびランク値部分を含む上りリンクメッセージを生成する。
【００２４】
上りリンクメッセージには、通信リンクおよび／または受信データストリームに関する様々な情報が含まれていてもよい。上りリンクメッセージは、TXデータ処理部238を用いて処理され、TXデータ処理部は、多数のデータストリームのトラヒックデータもデータ源236から受信する。上りリンクメッセージは、変調器280によって変調され、送信機254a〜254rによって調整されて、送信機システム210に送り返される。
【００２５】
送信機システム210では、受信機システム250から送られてきた変調信号をアンテナ224a〜224tによって受信し、受信機222a〜222tによって調整し、復調器240によって復調し、RXデータ処理部242によって処理して、受信機システム250から送信されてきた上りリンクメッセージを抽出する。その後、処理装置230がどのプリコードマトリクスを使用するかを判断してビームフォーミング重みを算出し、抽出したメッセージを処理する。
【００２６】
次に図３を参照すると、本図は本発明の一実施例による通信機器の別の簡略機能ブロック図を示す。図３に示すように、無線通信システムの通信機器300を使って、図１に示すUE（またはAT）116および122、または図１に示す基地局（またはAN）100を実現することができ、無線通信システムは好適にはLTEシステムである。通信機器300は、入力装置302、出力装置304、制御回路306、中央処理装置（CPU）308、記憶装置310、プログラムコード312および送受信器314を含んでいてもよい。制御回路306は、記憶装置310に保存されたプログラムコード312をCPU 308で実行することにより、通信機器300の動作を制御する。通信機器300は、ユーザがキーボードまたはキーパッドなどの入力装置302によって入力した信号を受信して、モニタまたはスピーカなどの出力装置304から画像および音を出力できる。送受信器314は無線信号の受信および送信に用いられ、受信した信号を制御回路306に送り、制御回路306が生成した信号を無線によって出力する。また、無線通信システムの通信機器300を使って、図１に示すAN100を実現することも可能である。
【００２７】
図４は、本発明の一実施例による図３のプログラムコード312の簡略ブロック図を示す。本実施例では、プログラムコード312は、アプリケーション層400、レイヤ３部402およびレイヤ２部404を含み、レイヤ１部406に結合されている。レイヤ３部402は、通常、電波源の制御を行う。レイヤ２部404は、通常、リンクの制御を行う。レイヤ１部406は、通常、物理接続の制御を行う。
【００２８】
LTEのフレーム構成は、以下に参照する3GPP  TS  36.300に述べられているように、無線フレームに組み立てられ、各無線フレーム（例えば10ms）は、10個のサブフレームに分割される。各サブフレームは、２つのスロットを含んでいてもよい。
【００２９】
〈５．E-UTRAの物理層〉
ダウンリンク伝送およびアップリンク伝送は、持続時間が10msの無線フレームに組み立てられる。２つの無線フレーム構成は、以下のように対応付けられている。
−タイプ１：  FDD方式に適用可能
−タイプ２：  TDD方式に適用可能
【００３０】
タイプ１のフレーム構成は、図5.1-1に図示されている（本願では図５として転載）。10msの各無線フレームは、10個の同じサイズのサブフレームに分割される。各サブフレームは、２つの同じサイズのスロットで構成される。FDD方式では、10ms間隔で、10個のサブフレームをダウンリンク伝送に利用でき、かつ、10個のサブフレームをアップリンク伝送に利用できる。アップリンク伝送およびダウンリンク伝送は、周波数領域で区別される。
【００３１】
タイプ２のフレーム構成は、図5.1-2に図示されている（本願では図６として転載）。10msの各無線フレームは２つの５msのハーフフレームで構成され、各ハーフフレームは８個の0.5ms長のスロット、およびDwPTS、GPおよびUpPTSの３つの特定フィールドで構成される。DwPTSおよびUpPTSは、DwPTS、GPおよびUpPTSの長さの合計に合わせて、１msに相当する長さに設定できる。５msおよび10msのスイッチポイントのどちらの周期性もサポートできる。すべての構成のサブフレーム１および５msのスイッチポイント周期性を有する構成のサブフレーム６は、DwPTS、GPおよびUpPTSで構成される。10msのスイッチポイント周期性を有するサブフレーム６は、DwPTSのみで構成される。その他のサブフレームはすべて、２つの同一サイズのスロットで構成される。
【００３２】
TDDでは、GPが反転してダウンリンクからアップリンクへ遷移する。他のサブフレーム／フィールドは、ダウンリンクまたはアップリンク伝送のどちらかに割り当てられる。アップリンク伝送およびダウンリンク伝送は、時間領域で区別される。
【００３３】
また、各ダウンリンクスロットは、図７および図８に示すように、
0006406528.tif 000002
個のOFDM（直交周波数分割多重）シンボルを含む。図７は、3GPP  TS  36.211の図6.2.2-1の写しである。図８は、3GPP  TS  36.211の表6.2.3-1の写しである。
【００３４】
LTEは、いくつかの物理層ダウンリンク制御シグナリングを有する。マスタ情報ブロック（MIB）は、以下に参照する3GPP  TS  36.311に述べられているように、ダウンリンクの帯域幅、システムフレーム番号およびセル内のUEのPHICH構成などを含む必要なシステム情報を提供する。
〈マスタ情報ブロック〉
マスタ情報ブロックは、Bチャネル（BCH）で送信されるシステム情報を含む。
・シグナリング無線ベアラ（SRB）：  N/A
・RLC-SAP：  TM
・論理チャネル：  BCCH
・方向：  E-UTRANからUEへ
0006406528.tif 000003
【００３５】
MIBは、以下に参照する3GPP  TS  36.211で述べられているように、無線フレームの１番目のサブフレームの２番目のスロットの最初の４個のシンボルによって搬送される。
【００３６】
〈６．６．４．リソース要素へのマッピング〉
各アンテナポートの複素数シンボルy(P)(0)〜y(P)(Msymb−1)のブロックは、４つの連続する無線フレームがnfmod4＝0を満たす無線フレームで始まるごとに送信され、y(0)で始まる順にリソース要素（k、l）へマッピングされるものとする。基準信号の送信用に確保されたリソース要素でない要素（k、l）にマッピングする場合、最初に指標kを、次に指標lを、最後に無線フレーム番号を昇順にサブフレーム０のスロット１にマッピングするものとする。リソース要素指標は、以下の式によって得られる。
0006406528.tif 000004
ただし、基準信号の送信用に確保されるリソース要素は除外するものとする。マッピング演算は、アンテナポート０〜３のセル固有基準信号が実際の構成に関係なく存在するということを前提とする。UEは、上述のマッピング演算で基準信号用に確保されるものの基準信号の送信には使用されないと想定されるリソース要素をPDSCH送信に利用できないことを前提とする。UEは、これらのリソース要素に関しこの他の前提を設けてないものとする。
【００３７】
１つのセルの同期信号（例えば、PSSおよびSSS）は、当該セル内のUE用であり、ダウンリンクのタイミング、すなわち、無線フレームの境界およびサブフレームの境界を確立する。PSS（プライマリ同期信号）およびSSS（セカンダリ同期信号）はそれぞれ、１個のシンボルによって搬送される。例えば、FDD（周波数分割双方向）方式では、PSSはスロット０および10の最後のシンボルによって搬送され、SSSはスロット０および10の最後から２番目のシンボルによって搬送される。ただし、スロット０およびスロット10はそれぞれ、以下に参照する3GPP  TS  36.211で述べられているように、無線フレームの最初のサブフレームの最初のスロットおよび６番目のサブフレームの最初のスロットである。
【００３８】
〈６．１１．１．２．リソース要素へのマッピング〉
列のリソース要素へのマッピングは、フレーム構成によって決まる。UEは、プライマリ同期信号がいずれかのダウンリンク基準信号と同じアンテナポートで送信されることを前提としないものとする。UEは、プライマリ同期信号の任意の送信インスタンスがプライマリ同期信号の他の送信インスタンスに使用される１または複数のアンテナポートで送信されることを前提としないものとする。
列d(n)は、以下の式に従ってリソース要素にマッピングされるものとする。
0006406528.tif 000005
【００３９】
タイプ１のフレーム構成では、プライマリ同期信号はスロット０および10の最後のOFDMシンボルにマッピングされるものとする。
【００４０】
タイプ２のフレーム構成では、プライマリ同期信号はサブフレーム１および６の３番目のOFDMシンボルにマッピングされるものとする。プライマリ同期信号の送信に使用されるOFDMシンボルのリソース要素（k、l）のうち、以下の式を満たす要素が確保され、プライマリ同期信号の送信には使用されない。
0006406528.tif 000006
【００４１】
〈６．１１．２．２．リソース要素へのマッピング〉
列のリソース要素へのマッピングは、フレーム構成によって決まる。タイプ１のフレーム構成のサブフレームおよびタイプ２のフレーム構成のハーフフレームでは、プライマリ同期信号の送信に使われるアンテナポートと同じポートを使ってセカンダリ同期信号を送信するものとする。
【００４２】
列ｄ(n)は、以下の式に従ってマッピングされるものとする。
0006406528.tif 000007
【００４３】
次の式を満たすリソース要素（k、l）は確保され、セカンダリ同期信号の送信には使用されない。
0006406528.tif 000008
【００４４】
セル固有基準信号（CRS）はUEで用いて、セルのダウンリンク無線状態を測定するものである。CRSを搬送するシンボルはCRSポートの番号で決まる。一例として、２つのCRSポートとともに構成されたセルでは、以下に参照する3GPP  TS  36.211で述べられているように、CRSはサブフレームの両方のスロットの１番目のシンボルおよび最後から３番目のシンボルによって搬送される。
【００４５】
〈６．１０．１．２．リソース要素へのマッピング〉
基準信号列
0006406528.tif 000009
は、以下の式
0006406528.tif 000010
に従ってスロットnsのアンテナポートpの基準信号として用いられる複素数変調シンボル
0006406528.tif 000011
にマッピングするものとし、上記数式の各項は以下のとおりである。
0006406528.tif 000012
変数vおよびvshiftは、異なる基準信号の周波数領域における位置を規定し、vは以下の式によって得られる。
0006406528.tif 000013
セル固有周波数偏移は以下によって得られる。
0006406528.tif 000014
【００４６】
物理ダウンリンク制御チャネル（PDCCH）シグナリングは、ダウンリンクまたはアップリンク伝送の、例えば、PDSCH（物理ダウンリンク共有チャネル）またはPUSCH（物理アップリンク共有チャネル）のリソース割当てを行うものである。PDCCHは、PCFICH（物理制御フォーマットインジケータチャネル）のシグナリングに応じてサブフレームの先頭の１または複数のシンボルによって搬送される。例えば、サブフレームのPDCCH送信に使用されるシンボル数を表すPCFICHが２の場合、PDCCHは、以下に参照する3GPP  TS  36.211で述べられているように、サブフレームの最初の２つのシンボルによって搬送される。
【００４７】
〈６．８．５．リソース要素へのマッピング〉
リソース要素へのマッピングは、４元複素数シンボルの演算によって決まる。式z(p)(i)＝＜y(p)(4i),y(p)(4i+1),y(p)(4i+2),y(p)(4i+3)＞は、アンテナポートpの４元シンボルiを表すものとする。
【００４８】
４元シンボルz(p)(0)〜z(p)(Mquad-1)のブロックは、Mquad＝Mquad/4であり、置換されて、w(p)(0)〜w(p)(Mquad-1)となる。置換は、3GPP  TS  36.212(3)の第5.1.4.2.1節で述べられているサブブロックインタリーバによって行うものとする。ただし、以下を例外とする。
−  インタリーバへの入力およびインタリーバからの出力は、ビットではなく４元シンボルによって規定される。
−  インタリーブは、ビットではなく４元シンボルに対して行われ、3GPP  TS  36.212(3)の第5.1.4.2.1節における「ビット」、「複数のビット」および「ビット列」はそれぞれ、「４元シンボルの１つ」、「４元シンボル」および「４元シンボル列」と読み替える。
【００４９】
3GPP  TS  36.212(3)のインタリーバの出力における〈NULL〉要素は、シンボルw(p)(0)〜w(p)(Mquad-1)が形成される際に除外される。〈NULL〉要素の除外は、第6.8.2節に掲載される〈NIL〉要素のいずれにも影響しないことに留意されたい。
４元シンボルw(p)(0)〜w(p)(Mquad-1)のブロックは、周期的にシフトされて、
0006406528.tif 000015
となるものとし、
0006406528.tif 000016
である。
【００５０】
４元シンボル
0006406528.tif 000017
のブロックのマッピングは、第6.2.4節に述べられているように、以下の工程１〜10に従ってリソース要素のグループの観点から規定される。
１）初期値m’＝０（リソース要素のグループ番号）に設定する。
２）初期値k’＝０に設定する。
３）初期値l’＝０に設定する。
４）リソース要素（k’、l’）がリソース要素のグループを表し、リソース要素のグループがPCFICHまたはPHICHに割り当てられていない場合は工程５および６に進み、それ以外は工程７に進む。
５）４元シンボル
0006406528.tif 000018
をマッピングしてアンテナポートpごとの（k’、l’）を表すリソース要素のグループにする。
６）m’を１つ増加させる。
７）l’を１つ増加させる。
８）l’＜Lの場合、工程４から繰り返す。ただし、LはPCFICHで送信される列で表されるPDCCH送信に使用されるOFDMシンボルの数に対応する。
９）k’を１つ増加させる。
１０）
0006406528.tif 000019
の場合、工程３から繰り返す。
【００５１】
物理ハイブリッドARQインジケータチャネル（PHICH）は、アップリンク伝送に対してHARQ（ハイブリッド自動再送要求）フィードバックを搬送する。PHICHは、設定されたPHICH持続期間ならびにサブフレームの種類に応じて、サブフレームの先頭の１または複数のシンボルによって搬送される。例えば、拡張PHICH持続期間の構成を有するFDDセルのnon-MBSFNサブフレームの場合、PHICHは、以下に参照する3GPP  TS  
【００５２】
36.211で述べられているように、サブフレームの最初の３個のシンボルによって搬送される。
【００５３】
〈６．９．３．リソース要素へのマッピング〉
PHICHグループごとの列
0006406528.tif 000020
は、以下の式によって定義される。
0006406528.tif 000021
ただし、シグマ記号はPHICHグループのすべてのPHICHの合計であり、
0006406528.tif 000022
はPHICHグループのi番目のPHICH以降のシンボル列である。
【００５４】
PHICHグループは、PHICHマッピング単位にマッピングされる。
【００５５】
通常の循環プレフィックスでは、PHICHグループmからPHICHマッピング単位m’へのマッピングは次の式によって定義される。
0006406528.tif 000023
ただし、
0006406528.tif 000024
であり、miは表6.9-1によって与えられる。
【００５６】
拡張循環プレフィックスでは、PHICHグループmおよびm+1のPHICHマッピング単位m’へのマッピングは以下の式によって定義される。
0006406528.tif 000025
ただし、
0006406528.tif 000026
であり、miは表6.9-1によって与えられる。
【００５７】
以下の式
0006406528.tif 000027
は、アンテナポートpの４元シンボルiを表すものとする。リソース要素へのマッピングは、以下の工程１〜10に従って４元シンボルの観点から規定される。
１）各値l’に対し、
２）nl’はOFDMシンボルl’のPCFICHに割り当てられないリソース要素グループの数を表すものとする。
３）OFDMシンボルl’のPCFICHに割り当てられないリソース要素グループを、周波数領域指標が最も低いリソース要素グループから順番に、０からnl’-1の番号を付す。
４）初期値をm'＝０（PHICHマッピング単位番号）に設定する。
５）各値i＝0、1、2に対し、
６）PHICHマッピング単位m’から得た４元シンボルz(P)(i)をマッピングして、第6.2.4節に述べられているように、（k’、l’）で表されるリソース要素グループにする。ただし、指標k’iおよびl’iは次の工程７および８によって与えられる。
７）時間領域指標l’iは次の式によって与えられる。
0006406528.tif 000028
８）周波数領域指数k’iを上記工程３で番号
0006406528.tif 000029
を割り当てられたリソース要素グループに設定する。ただし、
0006406528.tif 000030
は次の式によって与えられる。
0006406528.tif 000031
これは、MBSFNサブフレームの拡張PHICH持続期間またはタイプ２のフレーム構成のサブフレーム１および６の拡張PHICH持続期間の場合、かつ、以下の式
0006406528.tif 000032
を満たす場合であり、それ以外は、
９）m’を１つ増加させる。
１０）すべてのPHICHマッピング単位が割り当てられるまで工程５以降を繰り返し実行する。
【００５８】
PHICH持続期間は表6.9.3-1（本願では図９として転載）に従って上位層で設定可能である。
【００５９】
復調基準信号（DMRS）は、１または複数のUEがEPDCCH（拡張物理ダウンリンク制御チャネル）またはPDSCHを復調する際に役立つ基準信号である。DMRSは１つのサブフレームの４個のシンボルによって搬送され、４個のシンボルの位置は循環プレフィックス（CP）の長さおよびサブフレームの種類によって決まる。一例として、標準的なCPを有するFDDセルの場合、DMRSは、以下に参照する3GPP  TS  36.211で述べられているように、１つのサブフレームの両方のスロットの最後の２個のシンボルによって搬送される。
【００６０】
〈６．１０．３．２．リソース要素へのマッピング〉
アンテナポートp=7、p=8またはp=7、8…v+6では、対応するPDSCH送信に対して割り当てられた周波数領域指標nPRBを有する物理リソースブロックにおいて、基準信号列r(m)の一部を以下のプレフィックスに従ってサブフレームの複素数変調シンボル
0006406528.tif 000033
にマッピングするものとする。
【００６１】
標準的な循環プレフィックス
0006406528.tif 000034
の各項は以下のとおりである。
0006406528.tif 000035
【００６２】
下記の列
0006406528.tif 000036
は、表6.10.3.2-1（本願では図１０として転載）によって与えられる。
拡張循環プレフィックス
0006406528.tif 000037
の各項は以下の通りである。
0006406528.tif 000038
【００６３】
下記の列
0006406528.tif 000039
は、表6.10.3.2-2（本願では図１１として転載）によって与えられる。
【００６４】
拡張循環プレフィックスでは、UE固有基準信号はアンテナポート９〜14でサポートされる。
【００６５】
アンテナポートセットS（S＝{7、8、11、13}またはS＝{9、10、12、14}）の任意のアンテナポートから１つのUEにUE固有基準信号を送信するために使用されるリソース要素（k、l）は、
−  同一スロットの任意のアンテナポートからPDSCHを送信するためには使用されず、
−  また、UE固有基準信号を同一スロットのアンテナポートセットSのアンテナポート以外の任意のアンテナポートから同一UEへの送信には使用されないものとする。
【００６６】
LTEにおけるダウンリンクデータはPDSCHで送信され、サブフレームの１番目のシンボルまたは最初のいくつかのシンボル以外のシンボル、つまり上述の、または以下に参照する3GPP  TS  36.211に述べられている、物理制御チャネルが占めている（もしくは占めているであろう）シンボル以外のシンボルによって搬送される。
【００６７】
〈６．４．物理ダウンリンク共有チャネル〉
物理ダウンリンク共有チャネルに処理を施して、第6.3節に記載されているように、次の付加条件および例外に基づいて、リソース要素にマッピングする。
−  UE固有基準信号が送信されないリソースブロックでは、PDSCHはPBCHと同じ一組のアンテナポート、すなわち{0}、{0、1}または{0、1、2、3}から送信するものとする。
−  UE固有基準信号が送信されるリソースブロックでは、PDSCHはアンテナポート{5}、{7}、{8}またはp∈{7、8...ν+6}から送信するものとする。ただし、vはPDSCHの送信に使用される層の数である。
−  PDSCHが、3GPP  TS  36.213(4)に規定されるように、MBSFNサブフレームで送信される場合、PDSCHは１または複数のアンテナポートp∈{7、8...ν+6}から送信するものとする。ただし、vはPDSCHの送信に使用される層の数である。
−  PDSCHは、PDSCHに対応付けられたUE固有基準信号に使用されるリソース要素にマッピングしないものとする。
−  リソース要素へのマッピングにおいて、セル固有基準信号の位置は、第6.10.1.2節に述べられているようにアンテナポートの数によって、また第6.10.1.2節に述べられているように取得したセル固有基準信号の周波数偏移によって与えられる。ただし、これらのパラメータの他の数値が3GPP  TS  36.213(4)の第7.1.9節によって得られる場合を除く。この場合には、これらの数値を関連するDCIで表されるリソースブロックに使用する。
−  PDSCHに関連するDCIがC-RNTIまたは半永久的なC-RNTIを使用する場合、PDSCHはUEによって以下の送信に使用されると予想されるリソース要素にはマッピングしない。
−  CSI基準信号の位置が第6.10.5.2節によって与えられるゼロ出力CSI基準信号の送信。ゼロ出力基準信号の構成は次の通りである。
−  上述の第6.10.5.2節によって得られる。ただし、これらのパラメータが3GPP  TS  36.213(4)の第7.1.9節によって得られる場合を除く。この場合には、各数値は関連するDCIで表されるリソースブロックに使用される。
−  第6.10.5.2節においてゼロ出力CSI-RSの処理後にディスカバリ信号構成の一部として確保された最大で５つのCSI-RSリソースの上位層構成によって得られる。
−  CSIレポートに使用する非ゼロ出力CSI基準信号の送信。ただし、CSIレポートに使用する非ゼロ出力CSI基準信号の位置は第6.10.5.2節によって与えられる。非ゼロ出力CSI基準信号の構成は第6.10.5.2節に述べられている方法で得られる。
−  PDSCHは、PDSCHに関連するEPDCCHを搬送する任意の物理リソースブロックのペアにマッピングしない。
−  サブフレームの１番目のスロットの指標lは、l≧lDatastartを満たし、lDatastartは3GPP  TS  36.213(4)の第7.1.6.4節によって与えられる。
−  リソース要素へのマッピングにおいて、PDSCHに関連するDCIが第6.3.4.3節に則ってC-RNTIまたは半永久C-RNTIおよび送信ダイバーシティを使用する場合、UEがCSI-RSを含んでいると予想されるOFDMシンボルのリソース要素は、次の基準をすべて満たしている場合、かつ、その場合に限りマッピングに使用するものとする。
−  送信用に割り当てられた各リソースブロックのOFDMシンボルのリソース要素の数は偶数である。
−  iが偶数である複素数シンボルy(P)(i)およびy(p)(i+1)は、同一のOFDMシンボルのリソース要素（k、l）および（k+n、l）にn＜3でマッピングできる。
【００６８】
5Gの無線アクセスの概念については、非特許文献１で述べられている。要点の１つは、低い方の周波数帯および高い方の周波数帯の両方を効率的に統合することにある。高い方の周波数帯は周波数帯域をより広げる可能性をもたらすものの、伝送損失がより大きくなるため、カバレッジ範囲が制限されてしまう。非特許文献１では、5Gシステムがカバレッジ層（例えば、マクロセルからなる）およびキャパシティ層（例えば、スモールセルまたはファントムセル）からなる二層構造を有することを提案している。カバレッジ層は、既存の低周波数帯を利用して、基本的なカバレッジおよびモビリティをもたらす。キャパシティ層は、新たな高周波数帯を使って高いデータ転送速度での送信をもたらす。カバレッジ層は、拡張LTE RATによってサポートされるものでもよく、これに対しキャパシティ層は新たに別のRATによってサポートされるものでもよい。カバレッジ層およびキャパシティ層は、拡張LTE RATと新たなRAT間の密な連携（デュアルコネクティビティ）によって効率よく統合できる。また、5Gにおけるセルは、単一の送信ポイント（TP）／送受信ポイント（TRP）または複数のTP／TRPを備えていてもよく、また、ネットワークノード（例えば、eNB）はこれらのTP／TRPを介して当該セルのUEと通信する。
【００６９】
3GPP  TS  36.300に述べられているように、デュアルコネクティビティはRRC_CONNECTED状態のUEの動作モードであり、マスタセルグループ（すなわち、MeNB（マスタeNB）に関連付けられ、PCell（プライマリセル）および１つ以上のSCell（セカンダリセル）を備えるサービングセルのグループ）と、セカンダリセル（すなわち、SeNB（セカンダリeNB）に関連付けられ、PSCell（プライマリセカンダリセル）および任意で１つ以上のSCellを備えるサービングセルのグループ）とで構成されている。デュアルコネクティビティによって設定されるUEとは、一般に、UEが２つの特徴的なスケジューラによって得られる無線リソースを利用するように構成され、X２インタフェースを介して非理想的バックホールで接続される２つのeNB（MeNBおよびSeNB）に配置されることを意味する。なお、デュアルコネクティビティについての詳細は、3GPP  TS  36.300を参照されたい。
【００７０】
デュアルコネクティビティでは、SCG（セカンダリセルグループ）の追加／変更があった場合（構成されている場合）、ランダムアクセス手順を要求するRRC_CONNECTEDにDLデータが届いた場合（例えば、UL同期状態が非同期の場合）、またはランダムアクセス手順を要求するRRC_CONNECTED時にULデータが届いた場合（例えば、UL同期状態が非同期の場合、またはSRに使用可能なPUCCH（物理アップリンク制御チャネル）リソースがない場合）、少なくともPSCellにランダムアクセス手順も実行する。UE起動ランダムアクセス手順は、SCGのPSCellにのみ実行される。
【００７１】
ランダムアクセス手順には２種類の異なる手順がある。すなわち、競合型と非競合型である。競合型ランダムアクセス手順を、3GPP  TS  36.300の図10.1.5.1-1の写しである図１２に示す。図１２は以下の４つの工程を含む。
１．RACH（ランダムアクセスチャネル）のランダムアクセスプリアンブルをアップリンクのPRACH（物理ランダムアクセスチャネル）にマッピング。
２．DL-SCH（ダウンリンク共有チャネル）でMAC（媒体アクセスチャネル）によってランダムアクセス応答を生成。
３．UL-SCH（アップリンク共有チャネル）で最初のスケジュールされたUL（ダウンリンク）伝送を行う。
４．ダウンリンクで競合を解消。
【００７２】
非競合型ランダムアクセス手順を、3GPP  TS  36.300の図10.1.5.2-1の写しである図１３に示す。図１３は以下の３つの工程を含む。
０．ダウンリンクで専用シグナリングによって専用ランダムアクセスプリアンブルを割り当てる。
１．RACHの非競合型ランダムアクセスプリアンブルをアップリンクのPRACHにマッピングする。
２．DL-SCHでランダムアクセス応答。
【００７３】
ランダムアクセス手順の各工程についての詳細は、3GPP  TS  36.300および36.321を参照されたい。
【００７４】
次世代無線アクセス技術のフレーム構成に関し、METIS Deliverable D2.4に提案されているUDNシステムのTDD最適化物理サブフレーム構成を図１４に例示する。以下は、主要設計原理である。
・双方向（ダウンリンクリソースおよびアップリンクリソースの両方を含む）制御部は、各サブフレームの先頭に埋め込まれ、データ部から時間で分離される。
・１つのサブフレームのデータ部は、送信用または受信用のデータシンボルを含む。復調基準信号（DMRS）シンボルはチャネルおよび共分散行列を推測するために用いられ、動的データ部の１番目のOFDMシンボルに配置してもよく、同一ベクトル／行列とともにデータとしてあらかじめ符号化してもよい。
・サブフレームの長さを短くすることも可能である（例えば、SC間隔を60kHzと仮定した場合のcmW周波数で0.25ms）。調和型OFDMの概念の原理に従って、mmWに移行する際、さらにフレーム番号体系を再構成し、より短いフレーム長となる（例えば、50μsのオーダ）。
・周波数方向において、割当て可能な別々の周波数リソースにスペクトルを分割することも可能である。
【００７５】
さらに、キャパシティ層のセルはビームフォーミングを利用してもよい。ビームフォーミングとは、概して、アンテナアレイに用いて指向性信号送信または受信を行う信号処理技術のことである。これは、フェーズドアレイの各素子を組み合わせることによって実現して、特定の角度の信号が相乗的干渉を受け、その他の信号は相殺的干渉を受けるようにする。ビームフォーミングは、送信側および受信側のどちらでも使用でき、空間的選択性を実現できる。全方向の受信／送信と比較した向上点は、受信／送信利得として知られている。
【００７６】
ビームフォーミングはしばしばレーダシステムに応用される。フェーズドアレイレーダによって生成されるビームは、移動型パラボラアンテナのビームに比べ、比較的細くて非常に速い。この特性により、レーダは、飛行機以外に、弾道ミサイルのような小さくて動きの速い対象物を検出することができる。
【００７７】
同一チャネル干渉を低減させるという利点から、移動体通信システムの設計者もビームフォーミングに関心を寄せている。特許文献１のUS仮特許出願第62/107,814号の発明「無線通信システムでビームを追跡する方法および装置」は、概ね、ビームフォーミング技術に基づくビーム分割多元接続（BDMA）の概念を開示している。BDMAでは、基地局は細いビームによってモバイル機器と通信を行って、受信利得／送信利得を得てもよい。また、異なるビームを介した２台のモバイル機器が同じ無線リソースを同時に共用することも可能であり、これによりモバイル通信システムの処理能力を大きく向上できる。これを実現するには、基地局はどのビームにモバイル機器が割り当てられているかを知っている必要がある。
【００７８】
セル、送信ポイント（TP）、または送受信ポイント（TRP）は、ビームフォーミングを利用して方向性信号の送信または受信を行ってもよい。節電またはハードウェアの制限（例えば、送受信装置の数の不足）により、セル、TPまたはTRPは、セル、TPまたはTRPの有効範囲内の全方位をカバーするビームをすべて生成することは不可能かもしれない。言い換えると、セル、TPまたはTRPは、方向性信号の送信または受信を一度に行うために要するビームの一部しか生成できないかもしれない。例えば、セル、TPまたはTRPが一度に生成可能なビームの最大数は、セルのビームの総数またはTPもしくはTRPのビームの総数よりも少なくてもよい。同時に、方向性信号の送信または受信を他の非生成ビームで行うことは不可能であろう。そのため、セル、TPまたはTRPがセル、TPまたはTRPのビームをすべてスキャンするには数倍の時間がかかるであろう。
【００７９】
ダウンリンク制御シグナリングは、一般に、以下の２つのタイプに分類できる。
・タイプ１  −  セルのすべての、もしくは複数のUE、またはTPもしくはTRPに接続されたUE用の共有シグナリング（定期的に送信）（例えば、システム情報、PSS/SSS、CRS、同報メッセージの制御シグナリングなど）。
・タイプ２  −  UE専用のシグナリング（動的または定期的に送信される）（例えば、PDCCH、PHICH、DMRSなど）。
【００８０】
セル、TPまたはTRPが上述のようなビーム生成の制限を有する場合、タイプ１のシグナリングを特定のタイミングの所定のビームで（例えばサブフレームまたはシンボルで）送信するものと仮定する。その結果、同じ特定のタイミングの所定のビームでカバーされていないUEに送信を行うことは不可能であろう（例えば制御シグナリングまたはデータ）。そのため、ネットワークスケジューリングの自由度が制限されてしまう。よって、フレーム構成を設計して、ネットワークスケジューリングの自由度を向上させることを検討すべきであろう。
【００８１】
ネットワークノードとUEの間の通信は、フレームに組み立ててもよい。フレームは複数のサブフレームを含んでいてもよい。サブフレームは複数のシンボルを含んでいてもよい。サブフレームはダウンリンク制御領域を含んでいてもよく、制御領域は、１または複数のシンボルを含み、制御シグナリングの搬送に使用される。
【００８２】
図１５は、一実施例によるサブフレーム1500の概略図である。本発明の概念は、概して、サブフレームのダウンリンク制御領域1505においてダウンリンク制御領域の少なくとも第１の部分（例えば、少なくとも１つのシンボルからなる部分）を使用してUE専用ダウンリンク制御シグナリング1510（例えばタイプ２）を送信し、共用ダウンリンク制御シグナリング（例えばタイプ１）の送信には使用しない。これにより、ネットワークはダウンリンク制御領域の第１の部分を自由に使用してシグナリングを所定のUEのビームで送信可能となり、タイプ１シグナリングのビームの制限を受けない。
【００８３】
また、共用ダウンリンク制御シグナリング1515（例えばタイプ１）の送信に使用されるダウンリンク制御領域の第２の部分（例えば、少なくとも１つのシンボルからなる部分）があってもよい。関連するUEがタイプ１シグナリングを送信するために使用される所定のビームにカバーされている場合、第２の部分もまたUE専用ダウンリンク制御シグナリング（例えばタイプ２）の送信に使用してもよい。あるいは、第２の部分はUE専用ダウンリンク制御シグナリング（例えばタイプ２）の送信に使用できなくてもよい。サブフレーム1500は、データ領域1520を備えていてもよい。
【００８４】
さらに、UE専用ダウンリンク制御シグナリング（例えば１つの特有のUE用）は以下の信号またはシグナリングを少なくとも１つ含んでいてもよい：
・ダウンリンクまたはアップリンク伝送にリソースを割り当てるためのシグナリング（例えばPDCCHで）、
・少なくとも１回のアップリンク伝送に対してHARQフィードバックを搬送するシグナリング（例えばPHICH）、および／または
・UEによるダウンリンク伝送の復調を補助するために使用される基準信号（例えばDMRS）。
【００８５】
また、共用ダウンリンク制御シグナリング（例えば複数のUE用）は、以下の信号またはシグナリングを少なくとも１つ含んでいてもよい。
・セル、TPまたはTRPのシステムフレーム番号を表すシグナリング、
・セルのUE、またはTPもしくはTRPに接続しているUEへの同報メッセージ（例えば、システム情報、ページング、ランダムアクセス応答）用のリソースを割り当てるシグナリング（例えばPDCCHで）、
・セルのUE、またはTPもしくはTRPに接続しているUEがダウンリンクのタイミングを取得するための同期信号、および／または
・UEがダウンリンクの無線状態を測定する際に使用される基準信号（例えばCRS）。
【００８６】
また、ダウンリンク制御領域を有するサブフレームはすべて、第１の部分および第２の部分を含んでいてもよい。一実施例では、第１の部分で生成されたセル、TPまたはTRPのビームは、第２の部分で生成されたセル、TPまたはTRPのビームとは異なっていてもよい。
【００８７】
さらに、本発明の一般概念をLTEフレーム構成（3GPP  TS  36.300に述べられている）に適用することも可能であろう。あるいは、本発明の概念をMETISフレーム構成（METIS deliverable D2.4に述べられている）に適用することも可能であろう。
【００８８】
本発明の別の一般概念は、サブフレームのダウンリンク制御領域に少なくともダウンリンク制御領域の第１の部分（例えば、少なくとも１つのシンボルで構成される）およびダウンリンク制御領域の第２の部分（例えば、少なくとも１つのシンボルで構成される）があり、第１の部分で生成されたセル、TPまたはTRPのビームは第２の部分で生成されたセル、TPまたはTRPのビームとまったく異なっているか、もしくは一部異なっている。
【００８９】
一実施例では、第１の部分は、共用ダウンリンク制御シグナリング（例えばタイプ１）および／またはUE専用ダウンリンク制御シグナリング（例えばタイプ２）の送信に使用してもよい。同様に、第２の部分も、共用ダウンリンク制御シグナリング（例えばタイプ１）および／またはUE専用ダウンリンク制御シグナリング（例えばタイプ２）の送信に使用してもよい。
【００９０】
一実施例では、サブフレームは、アップリンクのデータ領域、ダウンリンクのデータ領域、および／またはアップリンク制御領域を含んでいてもよい。また、データ領域はシンボルを含んでいてもよく、異なるシンボルで生成されたセル、TPまたはTRPのビームは、それぞれまったく異なっているか、あるいは一部が異なっている。
【００９１】
さらに、サブフレームのダウンリンク制御領域の第１の部分で送信されたシグナリングは、サブフレームのデータ領域の第１のシンボルのリソースに対応付けてもよく、また、サブフレームのダウンリンク制御領域の第２の部分で送信されたシグナリングは、サブフレームのデータ領域の第２のシンボルに対応付けてもよい。第１のシンボルおよび第２のシンボルは、完全に、または一部が異なっている。
【００９２】
加えて、第１の部分の共用ダウンリンク制御シグナリングおよび第２の部分の共用ダウンリンク制御シグナリングは、異なる列の同期信号でもよい。UEは、それぞれの同期信号が用いる列に従ってサブフレームの境界を検出してもよい。
【００９３】
また、第１の部分の共用ダウンリンク制御シグナリングおよび第２の部分の共用ダウンリンク制御シグナリングは、異なる周波数リソースの同期信号でもよい。UEは、それぞれの同期信号が使用する周波数リソースに応じてサブフレームの境界を検出してもよい。
【００９４】
さらに、第１の部分の共用ダウンリンク制御シグナリングおよび第２の部分の共用ダウンリンク制御シグナリングは、異なる周波数リソースで送信してもよい。
【００９５】
図１６は、一実施例によるセル、TPまたはTRPとUEとの間の通信を規定するフローチャート1600である。工程1605において、通信が無線フレームに組み立てられ、各無線フレームは複数のサブフレームを含み、各サブフレームは複数のシンボルを含む。工程1610において、ダウンリンク制御領域がサブフレームに組み込まれる。工程1615において、第１のシンボルがダウンリンク制御領域に組み込まれ、第１のシンボルはUE固有信号の搬送に使用されるが、共通信号の搬送には使用されない。
【００９６】
一実施例において、ダウンリンク制御領域は第２のシンボルを含んでいてもよく、第２のシンボルは共通信号の搬送に使用される。さらに、第２のシンボルはUE固有信号の搬送にも使用される。あるいは、第２のシンボルは、UE固有信号の搬送には使用されない。
【００９７】
図３および図４を再度参照すると、セル、TPまたはTRPとUEの間の通信を規定する一実施例において、機器300は記憶装置310に保存されたプログラムコード312を含んでいる。CPU 308はプログラムコード312を実行して、(i)通信を無線フレームに組み立て、各無線フレームは複数のサブフレームを含むものであり、各サブフレームは複数のシンボルを含むものであり、(ii)ダウンリンク制御領域をサブフレームに組み込み、さらに(iii)第１のシンボルをダウンリンク制御領域に組み込んでもよく、第１のシンボルはUE固有信号の搬送に使用されるが共通信号の搬送には使用されない。また、CPU 308はプログラムコード312を実行して、上述のすべての動作および工程または後述する他の動作および工程を実行できる。
【００９８】
図１７は、一実施例による、セル、TPまたはTRPを制御するネットワークノードの観点から見たフローチャート1700である。工程1705は、ダウンリンク伝送およびアップリンク伝送によってセルのUEと通信することを含み、ダウンリンク伝送およびアップリンク伝送は無線フレームに組み立てられ、各無線フレームは複数のサブフレームを含み、各サブフレームは複数のシンボルを含む。工程1710は、セルにおいて、複数のサブフレームのうちの１つのサブフレームのダウンリンク制御領域の第１のシンボルでUE固有信号を送信することを含み、ネットワークノードは第１のシンボルで共通信号を送信できない。
【００９９】
一実施例では、工程1715に示すように、ネットワークノードはセルにおいて共通信号をダウンリンク制御領域の第２のシンボルで送信する。さらに、工程1720に示すように、ネットワークノードはUE固有信号を第２のシンボルで送信する。あるいは、ネットワークノードはUE固有信号を第２のシンボルで送信できない。
【０１００】
再び図３および図４を参照すると、セル、TPまたはTRPを制御するネットワークノードの観点から見た一実施例では、機器300は記憶装置310に保存されたプログラムコード312を含む。CPU 308がプログラムコード312を実行してもよく、これにより、ネットワークノードは、(i)ダウンリンク伝送およびアップリンク伝送によってセルのUEと通信し、ダウンリンク伝送およびアップリンク伝送は無線フレームに組み立てられ、各無線フレームは複数のサブフレームを含み、各サブフレームは複数のシンボルを含み、(ii)セルにおいて、UE固有信号を複数のサブフレームのうちの１つのサブフレームのダウンリンク制御領域の第１のシンボルで送信してもよく、ネットワークノードは共通信号を第１のシンボルで送信できない。一実施例では、CPUがさらにプログラムコード312を実行し、これにより、ネットワークノードは(i)セルにおいて共通信号をダウンリンク制御領域の第２のシンボルで送信し、および／または(ii)UE固有信号を第２のシンボルで送信してもよい。また、CPU 308はプログラムコード312を実行して、上述のすべての動作および工程、または後述する他の動作および工程を実行してもよい。
【０１０１】
図１８は、UEの観点から見た一実施例によるフローチャート1800である。工程1805では、UEはダウンリンク伝送およびアップリンク伝送によってセルのネットワークノードと通信を行い、ダウンリンク伝送およびアップリンク伝送は無線フレームに組み立てられ、各無線フレームは複数のサブフレームを含み、各サブフレームは複数のシンボルを含む。工程1810では、UEは、セルにおいてサブフレームのダウンリンク制御領域の第１のシンボルのUE固有信号をモニタし、第１のシンボルの共通信号はモニタしない。
【０１０２】
一実施例では、工程1815に示すように、UEはセルにおいてダウンリンク制御領域の第２のシンボルの共通信号をモニタしてもよい。さらに、工程1820に示すように、UEは第２のシンボルのUE固有信号をモニタしてもよい。あるいは、UEは第２のシンボルのUE固有信号をモニタしなくてもよい。
【０１０３】
図３および図４を再度参照すると、UEの観点から見た一実施例において、機器300は送信機の記憶装置310に保存されたプログラムコード312を含む。CPU 308がプログラムコード312を実行してもよく、これにより、UEは、(i)ダウンリンク伝送およびアップリンク伝送によってセルのネットワークノードと通信し、ダウンリンク伝送およびアップリンク伝送は無線フレームに組み立てられ、各無線フレームは複数のサブフレームを含み、各サブフレームは複数のシンボルを含み、(ii)セルにおいてサブフレームのダウンリンク制御領域の第１のシンボルのUE固有信号をモニタし、第１のシンボルの共通信号はモニタしない。一実施例では、CPUはさらにプログラムコード312を実行してもよく、これにより、ネットワークノードは、(i)セルにおいてダウンリンク制御領域の第２のシンボルの共通信号をモニタし、および／または(ii)第２のシンボルのUE固有信号をモニタできる。また、CPU 308はプログラムコード312を実行して、上述のすべての動作および工程、または後述する他の動作および工程を実行してもよい。
【０１０４】
開示および記載した様々な実施例に関し、サブフレームは一実施例においてアップリンク用のデータ領域、ダウンリンク用のデータ領域、および／またはアップリンク制御領域を含んでいてもよい。さらに、ネットワークノードは基地局でもよい。
【０１０５】
また、一実施例では、UE固有信号は１つの特定のUEのものでもよい。加えて、UE固有信号は、UEに対応するセル、TPまたはTRPのビームで送信してもよい。さらに、UE固有信号は、リソース割当てを表すシグナリング（例えばPDCCH）、HARQフィードバックを表すシグナリング（例えばPHICH（物理ハイブリッドARQ指示チャネル））、および／または復調に用いられる基準信号（例えばDMRS）でもよい。また、UE固有信号はUE固有基準信号（例えばDMRS）に対応付けてもよい。その他に、UE固有信号はUE固有基準信号（例えばDMRS）の受信に基づいて復調してもよい。
【０１０６】
一実施例において、共通信号は複数のUEで使用される。共通信号は、セル、TPまたはTRPのビームごとに送信されるものである。また、共通信号は、システムのフレーム番号（SFN）を表すシグナリング、セルのUEまたはTPもしくはTRPに接続するUEへの同報メッセージ（例えば、システム情報、ページング、ランダムアクセス応答）のリソース割当てを表すシグナリング（例えばPDCCH）、同期信号（例えばPSSまたはSSS）、および／またはダウンリンク無線状態測定用の基準信号（例えばCRS）でよい。さらに、共通信号は、共通基準信号（例えばCRS）に関連付けてもよい。さらに、共通信号は、共通基準信号（例えばCRS）の受信に基づいて復調してもよい。
【０１０７】
一実施例において、複数のサブフレーム（ダウンリンク用）はすべて、第１のシンボルを有していてもよい。あるいは、複数のサブフレーム（ダウンリンク用）のすべてが第１のシンボルを有するものである必要はない。別の実施例では、複数のサブフレーム（ダウンリンク用）のすべてが第２のシンボルを有していてもよい。あるいは、複数のサブフレーム（ダウンリンク用）のすべてが第２のシンボルを有するものである必要はない。
【０１０８】
一実施例において、第１のシンボルはサブフレームの第２のシンボルの前に位置してもよい。あるいは、第２のシンボルはサブフレームの第１のシンボルの前に位置してもよい。
【０１０９】
一実施例において、第１のシンボルで生成されたセル、TPまたはTRPのビームは、第２のシンボルで生成されたビームと異なる。一実施例では、シンボルはOFDM（直交周波数分割多重）シンボルでよい。
【０１１０】
上述したように、キャパシティ層のセル、TPまたはTRPはビームフォーミングを利用して方向性信号の送信または受信を行ってもよい。セルのUEまたはTPもしくはTRPに接続するUEを使用してビームフォーミングを行う場合、基地局はセル、TPまたはTRPのどのビームにUEが位置しているか、例えばUEのビーム集合を知る必要がある。METIS deliverable D2.4では、UEが基地局にUEの位置および速度の情報を送信し、基地局が受信した位置および速度に基づいてモバイル機器のダウンリンクのビームの方向を割り出すことを提案している。しかし、位置および速度の情報は常にUEで取得できるものでなく、また常に信頼できるわけでもない。よって、基地局がUEのビーム集合を割り出す別の方法を見つけなくてはならないであろう。
【０１１１】
3GPP  TS  36.300および36.311で述べているように、現在、ランダムアクセス（RA）手順は、セル、TPまたはTRPを介してデータを転送する前に、UEを使用して実行する必要がある。可能な方法の１つとして、基地局がRA手順時にUEの初期ビーム集合を割り出してもよく、例えば、専用のランダムアクセスプリアンブルがUEから受信されるビームに基づいて、ビーム集合を割り出してもよい。ただし、当該方法では、基地局はセル、TPまたはTRPのすべてのビームのプリアンブルを処理しなければならず、システムに非常に大きな負荷がかかるであろう。したがって、ビーム集合の割出しには基準信号（RS）を使用するほうがより簡単であろう。すなわち、UEがセル、TPまたはTRPに基準信号を送信する。RA手順は、初期UEビーム集合が割り出された後に開始するとよいであろう。この場合、基地局はUEビーム集合のビームのプリアンブルを処理するだけで済むであろう。UEのビーム集合のビームの数（例えば４本）は、１つのセル、TPまたはTRPのビームの総数（例えば32本、64本、またはそれ以上）よりもはるかに少ないことが予想される。その結果、信号処理の複雑度を大きく低減できるであろう。
【０１１２】
上記の概念に従って、ランダムアクセス（RA）手順はUEのビーム集合が割り出された後に開始される。RA手順を開始する１つの実行可能な方法として、基地局がUEのビーム集合によってUEにリクエストを送信することでRA手順を開始してもよいであろう。ただし、複数のビームによってダウンリンク伝送を行う場合、遅延補償（例えば、異なるビームでのUEへのダウンリンク伝送における遅延の）を行わなければならないことがある。さもないと、UEはダウンリンク伝送（例えば、RA手順を開始するリクエストを含む）を正常に復号できないかもしれない。さらに、基地局がビーム集合の割出しに使用する基準信号に基づいて各ビームの遅延を測定するのに適しているとは考えにくい。したがって、UEがセルでランダムアクセス手順を開始したり、またはTPもしくはTRPに適切なタイミングでアクセスしたりできるような手段またはメカニズムを検討すべきであろう。
【０１１３】
本発明の一般概念として、第１のセル、TPまたはTRP（例えばカバレッジ層の）を制御する第１の基地局（例えばMeNB）が第１のセル、TPまたはTRPを介してUEにタイマ（またはカウンタ）の構成を提供してもよい。UEは、第２のセルにおけるランダムアクセス手順を開始する（またはランダムアクセスプリアンブルを伝送する）タイミング、または第２の基地局（例えばSeNB）により少なくともタイマ（またはカウンタ）に基づいて制御される第２のTPもしくはTRPに（例えばキャパシティ層において）アクセスするタイミングを決めることもできるであろう。
【０１１４】
一実施例では、上記構成はシグナリングに含まれていてもよい。シグナリングは、RRCメッセージ、例えば3GPP  TS  36.331に述べられているRRC接続再構成メッセージなどである。シグナリングは、デュアルコネクティビティを行うようにUEを構成できるものでもよい。また、シグナリングは、第２のセル、TPまたはTRPをUEのサービングセル、TPまたはTRPとして構成するために使用することもできよう。
【０１１５】
また、シグナリングは、信号を第２のセルで送信、または第２のTPもしくはTRPに送信するようにUEを構成できるものでもよい。信号は周期的に送信してもよい。信号は、第２の基地局がUEで使用する第２のセル、TPまたはTRPのビームを検出するのを補助するために使用してもよい。一実施例では、信号は基準信号（RS）でもよい。
【０１１６】
一実施例において、UEは次の場合においてタイマを起動してもよい。すなわち、(i)上記構成を受信した場合、(ii)信号を送信した場合（タイマが動いていない場合）、(iii)最初の信号送信を行った場合、または(iv)第２のセル、TPまたはTRPへの同期が完了した場合。カウンタを使用して信号の送信回数を計数してもよい。
【０１１７】
一実施例において、UEは、(i)タイマがタイムアウトするとランダムアクセス手順を開始するか、(ii)タイムアウトに応じてランダムアクセスプリアンブルを伝送するか、(iii)カウンタが最大値に達するとランダムアクセス手順を開始するか、もしくは(iv)カウンタが最大値に達するのに応じてランダムアクセスプリアンブルを伝送してもよい。
【０１１８】
一実施例において、UEのアップリンク時間は、第２のセル、TPまたはTRPに整合されない（例えば、3GPP  TS  36.321に述べられているように第２のセル、TPまたはTRPに対応付けられている時間整合タイマが動作していない）。
【０１１９】
本発明の別の概念では、第２のセル、TPまたはTRP（例えばキャパシティ層の）を制御する第２の基地局（例えばSeNB）がUEの第２のセル、TPまたはTRPのビーム（すなわちUEのビームセット）を割り出すものとする。第２の基地局は、ビームセットのビームを１つ（１つだけ）選択し（つまり１番目のビーム）、UEに最初のビームに関するリクエスト（例えば、3GPP  TS  36.321で述べられているPDCCHオーダー）を送信することにより第２のセルに対しランダムアクセス手順を開始するか、または第２のTPもしくはTRPにアクセスする。
【０１２０】
一実施例において、ビームセットは、第２のセルのUEから送信される信号、または第２のTPもしくはTRPに送信される信号を検出された複数のビームを含む。１番目のビームは信号が最大受信電力で検出されたビームである。１番目のビームの信号の受信電力は、閾値よりも大きい。ビームセットの複数のビームの信号の受信電力は閾値よりも大きい。信号は基準信号でよい。
【０１２１】
一実施例において、リクエストが送信された場合、ビーム集合の各ビームの遅延補償の確認を行わない。言い換えると、ビーム集合のビームの遅延補償の確認を行う前に、第２の基地局はUEに送るビーム集合のビームを１本だけ選ぶ。ビーム集合のビームの遅延補償が確認されたら、第２の基地局はUEに送るビーム集合のビームを複数本選んでもよい。UEのアップリンク時間は、第２のセル、TPまたはTRPに整合されない（例えば、3GPP  TS  36.321に述べられているように第２のセル、TPまたはTRPに対応付けられている時間整合タイマは、リクエストが送信されるときに動作していない）。
【０１２２】
図１９は、一実施例によるメッセージの流れ1900を示す図である。工程1905において、UEがタイマまたはカウンタに関連する構成を表すシグナリングを受信する。工程1910において、UEはタイマまたはカウンタに基づいてランダムアクセス手順を開始する。一実施例では、ランダムアクセス手順は第２のセルで開始されるか、または開始されて第２のTPもしくはTRPにアクセスする。さらに、ランダムアクセス手順は、タイマがタイムアウトすると、またはカウンタが特定の値に達すると、開始してもよい。
【０１２３】
図２０は、一実施例によるメッセージの流れ2000を示す図である。工程2005において、UEがタイマまたはカウンタに関連する構成を表すシグナリングを受信する。工程2010において、UEは少なくともタイマまたはカウンタに基づいてランダムアクセスプリアンブルを送信する。一実施例では、ランダムアクセスプリアンブルは第２のセルで送信されるか、または第２のTPもしくはTRPに送信される。また、ランダムアクセスプリアンブルは、タイマのタイムアウトに応じて、またはカウンタが特定の値に達するのに応じて送信してもよい。
【０１２４】
図１９および図２０に例示された上述の実施例に関し、上記構成はタイマの値またはカウンタの最大値を表すものでもよい。また、第２のセル、TPまたはTRPは、第２の基地局によって制御してもよい。さらに、シグナリングは、第１のセルで送信されるか、または第１のTPもしくはTRPに送信してもよい。
【０１２５】
一実施例において、シグナリングは第１の基地局によって送信して、UEによるランダムアクセス手順の開始またはランダムアクセスプリアンブルの伝送を制御してもよい。第１のセル、TPまたはTRPは第１の基地局によって制御してもよい。さらに、第１の基地局はeNB（例えばMeNB）でもよい。
【０１２６】
一実施例において、タイマはUEが管理してもよい。また、タイマは、シグナリングの受信、特定の信号の送信（タイマが動作していない場合）、または特定の信号の１回目の送信に応じて始動させてもよい。
【０１２７】
一実施例において、カウンタはUEが保持してもよい。また、カウンタは特定の信号の送信回数に関連付けてもよい。カウンタは、シグナリングを受信すると、または特定の信号の１回目の送信に応じて、ゼロに設定してもよい。
【０１２８】
一実施例において、シグナリングは、特定の信号、例えばリソースおよび／または周期性に関連する構成を表すものでよい。また、シグナリングは、UEにデュアルコネクティビティを行うように命じるものでもよい。さらに、シグナリングは、第２のセル、TPまたはTRPがUEのサービングセル、TPまたはTRPとして追加されることを示すものでもよい。一実施例では、シグナリングはRRCメッセージまたはRRC接続再構成メッセージでもよい。
【０１２９】
図２１は、一実施例によるメッセージの流れ2100を、第２のセル、TPまたはTRPを制御する第２の基地局の観点から見た図である。工程2105においてUEに対するビーム集合を割り出し、ビーム集合は複数のビームを含む。工程2110において、１番目のビーム（Bx）をビーム集合から選択する。工程2115において、UEに第２のセルでランダムアクセス手順を開始するように要求したり、第２のTPまたはTRPにアクセスするように要求したりする際に使用されるリクエストを、１番目のビーム（Bx）のみによってUEに送信する。一実施例では、リクエストはPDCCH命令でよい。
【０１３０】
一実施例において、ビーム集合のビームは、UEから送られてくる特定の信号を受信するためのものでよい。また、ビーム集合のビームは、UEから送られてくる特定の信号を、特定の信号の受信電力が第１の閾値よりも大きい状態で受信するものでよい。
【０１３１】
一実施例において、ビーム集合は、少なくとも第２のセルのUEから送られてくる特定の信号の受信、またはUEから第２のTPもしくはTRPに送られる特定の信号の受信に基づいて割り出してもよい。また、UEから１番目のビームで送られてくる特定の信号を受信電力が最大の状態で受信することも可能であろう。さらに、１番目のビームはUEから送られてくる特定の信号の受信電力に基づいてビーム集合から選択してもよい。UEから１番目のビームで送られてくる特定の信号の受信電力は、第２の閾値よりも大きくてもよい。また、UEからビーム集合の複数のビームで送られてくる特定の信号の受信電力は第２の閾値よりも大きくてもよい。さらに、第２の閾値は、第１の閾値よりも大きくてもよい。
【０１３２】
一実施例において、ビーム集合のビームに関し、UEに対するダウンリンク伝送の遅延補償の確認を行わない。
【０１３３】
図１９、図２０および図２１に例示された上述の実施例に関し、ランダムアクセス手順は非競合型でもよい。また、ランダムアクセス手順は、タイミングアドバンスコマンド（例えば、3GPP  TS  36.321で述べられているMAC制御素子の）の受信に応じて正常に終了するものでもよい。
【０１３４】
一実施例において、第２のセル、TPまたはTRPはビームフォーミングを利用する。また、第２のセル、TPまたはTRPは複数のビームを有していてもよい。さらに、UEはデュアルコネクティビティを行って複数のセル、TP、TRPまたは基地局に接続してもよい。
【０１３５】
一実施例において、特定の信号は定期的に送信してもよい。また、特定の信号は基準信号（例えば、3GPP  TS  36.213で述べられているSRS）でもよい。さらに、特定の信号は第２のセルで送信してもよく、あるいは第２のTPまたはTRPに送信してもよい。
【０１３６】
一実施例において、特定の信号を使用してUEに対するビーム集合を識別してもよい。また、UEのアップリンク伝送のタイミングは整合させない（例えば第２のセル、TPまたはTRPにおいて）。
【０１３７】
ここまで本願の開示の様々な態様について述べてきた。本明細書に教示した事項は多様な形態で具体化してもよく、また、本明細書に開示した特定の構成または機能、あるいはそのどちらも代表的な例に過ぎないことは明白であろう。本明細書に教示した事項に基づき、開示の態様を他の態様に関係なく実施することも可能であり、２つ以上の態様を様々に組み合わせることも可能であることは当業者であれば理解の及ぶことであろう。例えば、本明細書に定義した態様を任意の数だけ用いて装置を実現したり、方法を実施したりできるであろう。また、他の構成、機能、または構成および機能の組合せを、定義された１つ以上の態様とともに、またはこれらの態様とは別に活用して装置を実現したり、方法を実施したりすることも可能であろう。上述した概念の一部の例として、いくつかの態様において、パルス受信周波数に基づいて同時チャネルを確立することもできるであろう。いくつかの態様では、同時チャネルはパルスの位置またはオフセット値に基づいて確立することもできるであろう。いくつかの態様では、同時チャネルは時間ホッピングシーケンスに基づいて確立することもできるであろう。また、いくつかの態様では、同時チャネルは、パルス受信周波数、パルスの位置あるいはオフセット値、および時間ホッピングシーケンスに基づいて確立することもできるであろう。
【０１３８】
様々な異なる技術および手法のいずれかを用いて情報および信号を表現してもよいことは、当業者の理解の及ぶところであろう。例えば、本願記載全体において言及されるデータ、命令、コマンド、情報、信号、ビット、シンボルおよびチップは、電圧、電流、電磁波、磁界もしくは磁性粒子、光学場もしくは光粒子、またはこれらの任意の組合せによって表現されることもあり得よう。
【０１３９】
さらに、開示した態様に関連して述べられた説明に役立つ様々な論理ブロック、モジュール、処理装置、手段、回路およびアルゴリズム手順は、電子機器（例えば、デジタル実装、アナログ実装、またはこれら２つの組合せなど、情報源符号化または他の手法を用いるように設計されているものでよい）、様々な形態のプログラムまたは命令が組み込まれた設計コード（ここでは、便宜上、「ソフトウェア」または「ソフトウェアモジュール」と称されることもある）、またはこれら両者の組合せとして実現可能であることは、当業者の理解の及ぶことであろう。ハードウェアおよびソフトウェアの互換性を明確に説明するために、様々な説明に役立つ構成素子、ブロック、モジュール、回路および手順について、概ねこれらの機能に関して述べてきた。このような機能をハードウェアとして実現するか、あるいはソフトウェアとして実現するかは、システム全体の特定の適用条件および設計条件によって決まる。当業者は、特定の用途ごとに上述の機能をいろいろな方法で実現することもできるが、こういった実現例を決めることは、本願の開示の範囲から逸脱することになると解釈すべきではない。
【０１４０】
また、本明細書に開示した態様に関連して述べられた説明に役立つ様々な論理ブロック、モジュールおよび回路は、集積回路（IC）、接続端末またはアクセスポイント内で実現してもよく、またはこれらによって実現してもよい。ICは、汎用の処理装置、デジタル信号処理装置（DSP）、特定用途向け集積回路（ASIC）、フィールドプログラマブル・ゲートアレイ（FPGA）もしくは他のプログラム可能な論理デバイス、個別素子ゲートもしくはトランジスタ論理回路、ハードウェア個別構成素子、電気的構成素子、光学的構成素子、機械的構成素子、または上述の機能を実現するために設計されたこれら素子の任意の組合せを備えていてもよく、IC内部、ICの外部またはその両方に存在するコードまたは命令を実行してもよい。汎用処理装置はマイクロプロセッサでよいが、その代わりとして、任意の従来型の処理装置、制御装置、マイクロコントローラまたは状態機械であってもよい。また、処理装置は、例えばDSPおよびマイクロプロセッサの組合せ、複数のマイクロプロセッサ、DSPコアと連動する１つ以上のマイクロプロセッサ、または他のこのような構成など、コンピュータ装置の組合せとして実現することも可能であるであろう。
【０１４１】
上述したいかなる処理工程のいかなる特定の順序または工程の優先度も、取り組み方の見本の一例である。設計の選択に基づき、本願の開示の範囲を逸脱せずに処理工程の特定の順序または工程の優先度を再編することも可能であることを理解されたい。本願の方法クレームは、例示的順序における様々な工程の要素を提示するものであり、提示した特定の順序または優先度に制限されるものではない。
【０１４２】
開示した態様に関連して述べた方法またはアルゴリズムの工程は、ハードウェア、処理装置によって実行されるソフトウェアモジュール、または両者の組合せによって直接具体化してもよい。ソフトウェアモジュール（例えば実行可能な命令および関連データを含む）および他のデータは、RAMメモリ、フラッシュメモリ、ROMメモリ、EPROMメモリ、EEPROMメモリ、レジスタ、ハードディスク、リムーバブルディスク、CD-ROM、または他の形態の当該分野において公知のコンピュータ可読記憶媒体などに存在するものでもよい。サンプル記憶媒体を、例えば、コンピュータ／処理装置（ここでは便宜上、「処理装置」と称している場合もある）などの装置に接続させてもよく、このような処理装置は記憶媒体から情報（例えばコード）を読み出したり、媒体に情報を書き込んだりすることもできる。サンプル記憶媒体は処理装置に内蔵されていてもよい。処理装置および記憶媒体は、ASICに属していてもよい。ASICはユーザ端末に設けられていてもよい。別の方法として、処理装置および記憶媒体は、ユーザ端末の個別部品に設けられていてもよい。また、いくつかの態様では、用途に適した何らかのコンピュータプログラム製品に、本開示の１または複数の態様に関連するコードを含むコンピュータ可読媒体が含まれていてもよい。いくつかの態様では、コンピュータプログラム製品は、パッケージソフトを含んでいてもよい。
【０１４３】
本発明について様々な態様に関連して述べてきたが、本発明をさらに変更することも可能であることを理解されたい。本願は、概ね本発明の原理に従った、本発明に関係する技術分野における公知の、および慣例的なやり方に近い本願の開示からの逸脱を含むあらゆる変更、用途または適応を対象として含むことを企図している。
【符号の説明】
【０１４４】
100  アクセス網
104、106  アンテナ
118  上りリンク
120  下りリンク
122  接続端末
212、236  データ源
214  TXデータ処理部
220  TX MIMO処理装置
230、270  処理装置
232、272  記憶装置
240  復調器
242  RXデータ処理部
260  RXデータ処理部
280  変調器
238  TXデータ処理部
【図１】
0006406528.tif 000040
【図２】
0006406528.tif 000041
【図３】
0006406528.tif 000042
【図４】
0006406528.tif 000043
【図５】
0006406528.tif 000044
【図６】
0006406528.tif 000045
【図７】
0006406528.tif 000046
【図８】
0006406528.tif 000047
【図９】
0006406528.tif 000048
【図１０】
0006406528.tif 000049
【図１１】
0006406528.tif 000050
【図１２】
0006406528.tif 000051
【図１３】
0006406528.tif 000052
【図１４】
0006406528.tif 000053
【図１５】
0006406528.tif 000054
【図１６】
0006406528.tif 000055
【図１７】
0006406528.tif 000056
【図１８】
0006406528.tif 000057
【図１９】
0006406528.tif 000058
【図２０】
0006406528.tif 000059
【図２１】
0006406528.tif 000060